(57)【特許請求の範囲】
【請求項１】
階間部で腕木が目地部から屋外に張り出すようにした建物において、
上記腕木が設けられる階間部の目地部には、階間部での水きりを行う階間水切り板および目地側水切り板が設けられており、上記目地側水切り板には、上記階間水切り板に連結される連結部と上記腕木の根元側周囲を覆う突出カバーとが形成されており、
上記目地側水切り板は、上側構造部と下側構造部とに分離されており、上記上側構造部の突出カバーの部分の内側に上記下側構造部の突出カバーの部分が入り込み、上記腕木が張り出す目地部には上記突出カバーの箇所でガスケットが上下に分断されて設けられていることを特徴とする建物。
【請求項２】
請求項１に記載の建物において、上記ガスケットの上側分断部の下側部位が、上記目地側水切り板の上端部の屋外側に位置することを特徴とする建物。
【請求項３】
請求項１または請求項２に記載の建物において、上記腕木が設けられる階間部では、上記ガスケットにおける屋外側の一部が分離切除されていることを特徴とする建物。
【請求項４】
請求項３に記載の建物において、上記目地側水切り板の下端部には、上記ガスケットの下側分断部における上記一部が分離切除された残り部位の端部の屋外側に乗り上げる乗上部が形成されていることを特徴とする建物。
【請求項５】
請求項１〜請求項４のいずれか１項に記載の建物において、上記腕木が設けられる階間部では、上記階間水切り板および上記目地側水切り板の少なくとも下端側が防水シートと重なることを特徴とする建物。
【請求項６】
請求項１〜請求項５のいずれか１項に記載の建物において、上記腕木が設けられない階間部では、上階の壁部の下側と下階の壁部の上側が近接し、胴差面材が配置されないことを特徴とする建物。
【請求項７】
請求項６に記載の建物において、上記腕木が設けられる階間部に配置される胴差面材と上記外壁面材との境界の目地部には、上記目地側水切り板として、上記外壁面材の側に止水面部が形成された境界用の目地側水切り板が設けられており、上記外壁面材の下地部材には上記ガスケットに接触する接触部が形成されており、上記接触部は、上記ガスケットの上下分断箇所では、上記止水面部に設けられた止水部材に接触することを特徴とする建物。
【発明の詳細な説明】
【技術分野】
【０００１】
この発明は、階間部で腕木が目地部から屋外に張り出すようにした建物に関する。
【背景技術】
【０００２】
特許文献１には、縦目地から突出する腕木の壁面側基端部に挿装可能な、下方に開口した縦溝が、略中央に形成されてなる底板部と、上記底板部の上縁及び左右両側縁から前方に略同寸の見込み寸法で迫り出す上枠部及び左右両枠部と、上記各枠部の前縁から底板部と略平行に外方に延出された前板部とを具備するシーリング補助材が開示されている。
【先行技術文献】
【特許文献】
【０００３】
【特許文献１】特開２００５−３３６７１５号公報
【発明の概要】
【発明が解決しようとする課題】
【０００４】
しかしながら、上記従来の技術は、シーリング補助材を用いるため、階間部で腕木が目地部から屋外に張り出すようにした建物について効率的な止水を実現できてはいないという問題がある。
【０００５】
この発明は、上記の事情に鑑み、階間部で腕木が目地部から屋外に張り出すようにした建物について効率的な止水を実現することを目的とする。
【課題を解決するための手段】
【０００６】
この発明の建物は、上記の課題を解決するために、階間部で腕木が目地部から屋外に張り出すようにした建物において、
上記腕木が設けられる階間部の目地部には、階間部での水きりを行う階間水切り板および目地側水切り板が設けられており、上記目地側水切り板には、上記階間水切り板に連結される連結部と上記腕木の根元側周囲を覆う突出カバーとが形成されており、
上記目地側水切り板は、上側構造部と下側構造部とに分離されており、上記上側構造部の突出カバーの部分の内側に上記下側構造部の突出カバーの部分が入り込み、上記腕木が張り出す目地部には上記突出カバーの箇所でガスケットが上下に分断されて設けられていることを特徴とする。
【０００７】
上記の構成であれば、上記目地側水切り板は、上側構造部と下側構造部とに分離されており、上記上側構造部の突出カバーの部分の内側に上記下側構造部の突出カバーの部分が入り込むので、上記腕木が張り出す目地部において上記ガスケットが上記突出カバーの箇所で上下に分断されても、シーリング材を用いることなく、効率的な止水を実現することができる。
【０００８】
上記ガスケットの上側分断部の下側部位が、上記目地側水切り板の上端部の屋外側に位置するようにしてもよい。これによれば、上記ガスケットを伝い落ちる水が上記目地側水切り板の裏側（屋内側）に回り込むのを防止することができる。
【０００９】
上記腕木が設けられる階間部では、上記ガスケットにおける屋外側の一部が分離切除されていてもよい。これによれば、上記階間部において胴差面材を適切に配置することができる。
【００１０】
上記目地側水切り板の下端部には、上記ガスケットの下側分断部における上記一部が分離切除された残り部位の端部の屋外側に乗り上げる乗上部が形成されていてもよい。これによれば、上記目地側水切り板を伝い落ちる水を上記ガスケットの残り部位の箇所の屋外側に落すことができる。
【００１１】
上記腕木が設けられる階間部では、上記階間水切り板および上記目地側水切り板の少なくとも下端側が防水シートと重なるようにしてもよい。これによれば、上記階間水切り板および上記目地側水切り板の少なくとも下端側での止水が防水シートにより確保されることになる。
【００１２】
上記腕木が設けられない階間部では、上階の壁部の下側と下階の壁部の上側が近接し、胴差面材が配置されないようにしてもよい。
【００１３】
上記腕木が設けられる階間部に配置される胴差面材と上記外壁面材との境界の目地部には、上記目地側水切り板として、上記外壁面材の側に止水面部が形成された境界用の目地側水切り板が設けられており、上記外壁面材の下地部材には上記ガスケットに接触する接触部が形成されており、上記接触部は、上記ガスケットの上下分断箇所では、上記止水面部に設けられた止水部材に接触するようにしてもよい。これによれば、上記腕木が設けられる階間部に配置される胴差面材と上記外壁面材との境界の目地部においても、シーリング材を用いることなく、効率的な止水を実現することができる。
【発明の効果】
【００１４】
本発明であれば、階間部で腕木が目地部から屋外に張り出すようにした建物について効率的な止水を実現できるという効果を奏する。
【図面の簡単な説明】
【００１５】
【図１】本発明の実施形態にかかる建物の階間部を正面視で示した説明図である。
【図２】本発明の実施形態にかかる建物の階間部を、正面視、側面視、側面の縦断面視で示した説明図である。
【図３】図１の建物の階間部で用いた目地側階間水切り板を示した説明図であって、同図（Ａ）は正面図であり、同図（Ｂ）は側面図である。
【図４】図１の建物の階間部とその上下階の外壁との関係を示した概略の横断面図である。
【図５】図１の建物の階間部のコーナー部における境界用の目地側水切り板が設けられる箇所を正面視で示した説明図である。
【図６】図５の建物のコーナー部の階間部とその上下階の外壁との関係を示した概略の横断面図である。
【図７】図５の建物の階間部で用いた境界用の目地側階間水切り板を示した説明図であって、同図（Ａ）は正面図、同図（Ｂ）は側面図である。
【図８】図６の一部を拡大した概略の横断面図である。
【図９】図５の建物の階間部のコーナー部における境界部分の概略を示した説明図である。
【発明を実施するための形態】
【００１６】
以下、この発明の実施の形態を添付図面に基づいて説明する。
図１は、この実施形態にかかる建物の階間部１と、上階の壁部２、２Ａと、下階の壁部３，３Ａとを示している。この建物は、上記階間部１において腕木１１が目地部１２から屋外に張り出す構造を有している。また、この建物では、上記腕木１１が設けられる上記階間部１の横部には、上記腕木１１が設けられない階間部が存在している。この腕木１１が設けられない階間部では、上記上階の壁部２Ａと、下階の壁部３Ａとが設けられ、上階の壁部２Ａの下側と下階の壁部３Ａの上側が近接し、横目地２３を形成している。一方、上記腕木１１が設けられる階間部１では、上記上階の壁部２の下端が上記階間部１の上側に位置し、上記下階の壁部３の上端が上記階間部１の下側に位置している。
【００１７】
図２にも示すように、上記腕木１１が設けられる階間部１の目地部１２には、階間部１での水きりを行う階間水切り板５と目地側水切り板６とが設けられている。上記目地側水切り板６は、上記階間水切り板５にビス等で連結される連結部６ａおよび上記腕木１１の根元側周囲を覆う突出カバー６ｂを有する。また、上記目地側水切り板６は上記階間水切り板５よりも屋外側に配置される。また、上記腕木１１が張り出す目地部１２には、ガスケット７が上記突出カバー６ｂの箇所で上下に分断されて設けられている。
【００１８】
上記目地側水切り板６は、図３（Ａ）および図３（Ｂ）にも示すように、上側構造部６１と下側構造部６２とに分離されており、上記上側構造部６１では、突出カバー６ｂの部分が下部側に形成されており、上記下側構造部６２では、突出カバー６ｂの部分が上部側に形成されている。突出カバー６ｂの上記部分は、例えば、溶接によって、上側構造部６１および下側構造部６２に各々接合される。もちろん、この接合は防水上優れた接合とされるのがよい。
【００１９】
上記上側構造部６１の突出カバー６ｂの部分の内側に上記下側構造部６２の突出カバー６ｂの部分が入り込むようになっている。具体的には、上記上側構造部６１の突出カバー６ｂの部分は下側に開口を有する逆Ｕ字形状を有しており、上記下側構造部６２の突出カバー６ｂの部分は上側に開口を有する略Ｕ字形状を有している。そして、上記下側構造部６２の突出カバー６ｂの部分の外形幅は、上記上側構造部６１の突出カバー６ｂの部分の内部幅よりも狭くなっている。また、上記上側構造部６１と上記下側構造部６２とは、上記上側構造部６１の下端が上記下側構造部６２の上端の屋外側に重ねられた状態で組み付けられる。
【００２０】
また、上記目地部１２の箇所では、上記ガスケット７の上側分断部における下側部位が、上記目地側水切り板６の上端部の屋外側に位置している。なお、上記目地部１２ではない箇所では、図２に示したように、上階の壁部２の下地部２１の下側部位が、上記階間水切り板５の上端部の屋外側に位置している。
【００２１】
また、上記腕木１１が設けられる階間部１では、上記ガスケット７における屋外側の一部が分離切除されている。上記ガスケット７は、上記目地部１２内における屋外側の１次領域の止水を担う１次ガスケット部７１と、上記目地部１２内における屋内側の２次領域の止水を担う２次ガスケット部７２とからなる。上記階間部１では、上記ガスケット７における屋外側の一部として、上記１次ガスケット部７１が分離切除されている。また、上記１次ガスケット部７１が分離切除されることによって、上記階間部１に胴差面材１５が適切に設けられる。
【００２２】
また、上記階間水切り板５および上記目地側水切り板６の下端部には、屋外側の方向に突出する折り曲げ部が形成されており、上記階間水切り板５および上記目地側水切り板６の上記折り曲げ部の箇所は、下階の壁部３の下地部３１の上側部位の屋外側を覆うように位置している。
【００２３】
また、上記目地側水切り板６の下端部には、上記折り曲げ部の箇所においてさらに屋外側に膨らむ乗上部６ｃ（図２も参照）が形成されている。この乗上部６ｃは、上記ガスケット７における下側分断部の上記一部（１次ガスケット部７１）が分離切除された残り部位（２次ガスケット部７２）の端部の屋外側に乗り上げるように位置している。
【００２４】
また、例えば、図４に示すように、上記壁部２（３）は、外壁面材２０２と、縦胴縁２０３と、下地部となる板材（グラスウール板等）２０４と、上記外壁面材２０２を取り付ける支持材となるフレーム２０５とを備えている。上記縦胴縁２０３は上記外壁面材２０２の裏面側（屋内側）に位置しており、上記板材２０４は上記縦胴縁２０３の裏面側（屋内側）に位置している。なお、図４においては、上記ガスケット７の１次ガスケット部７１は二点鎖線で示しており、２次ガスケット部７２は点線で示している。
【００２５】
上記縦胴縁２０３および上記板材２０４は、図示しない釘によって上記フレーム２０５に固定されている。また、上記板材２０４には沈み込み防止用の樹脂ピン２０６が設けられており、上記縦胴縁２０３に上記釘が打ち込まれるときに上記板材２０４が沈み込むのが防止される。また、上記外壁面材２０２の裏面には図示しない係合穴が形成されている。そして、上記フレーム２０５には、図示しない裏面固定ビスがねじ込まれており、この裏面固定ビスの突出頭部を上記係合穴に係合することで上記外壁面材２０２が上記フレーム２０５に支持される。
【００２６】
そして、上記腕木１１が設けられる階間部１では、上記階間水切り板５の上側と下側がそれぞれ防水シート２２、３２と重なっている。上記防水シート２２、３２は、上記板材２０４を覆うシートからなる。なお、上記防水シート２２、３２は湿気を透過させる性質を有していてもよい。
【００２７】
また、図５、図６および図７に示すように、上記腕木１１が設けられる階間部１に配置される胴差面材１５と、コーナー部における壁部２Ａ、３Ａの外壁面材２０２との境界の目地部１２には、上記目地側水切り板６として、境界用の目地側水切り板６Ａが設けられている。
【００２８】
上記境界用の目地側水切り板６Ａには、上記外壁面材２０２の側において、上記突出カバー６ｂの近傍箇所に止水面部６ｄが形成されている。上記止水面部６ｄは、例えば、屋外側に向けて立ち上がる立上部位と、この立上部位の先端側で壁面の面内方向に曲げられた曲げ部とからなる断面略Ｌ字形状を有する。
【００２９】
上記コーナー部における外壁面材２０２の下地部材２０２ａは、上記ガスケット７に接触する接触部２０２ｂを有している。上記接触部２０２ｂは、上記ガスケット７の上下分断箇所では、上記止水面部６ｄに設けられたシート状の止水テープ（止水部材）８を当該止水面部６ｄとで挟み込むようになっている。
【００３０】
例えば、図８および図９に示すように、上記下地部材２０２ａは、コーナーフレーム２０２１にビス等によって固定される。そして、略Ｌ字形状を有する上記止水面部６ｄと上記接触部２０２ｂとの間に略Ｌ字形状を有する隙間部が形成されており、この略Ｌ字形状を有する隙間部に上記止水テープ８が略Ｌ字形状に設けられている。上記止水テープ８は、例えば、ＥＰＤＭゴムを主成分とした発泡ゴムからなるシール材である。
【００３１】
上記の構成であれば、上記目地側水切り板６（６Ａ）は、上側構造部６１と下側構造部６２とに分離されており、上記上側構造部６１の突出カバー６ｂの部分の内側に上記下側構造部６２の突出カバー６ｂの部分が入り込むので、上記腕木１１が張り出す目地部１２において上記ガスケット７が上記突出カバー６ｂの箇所で上下に分断されていても、シーリング材を用いることなく、効率的な止水を実現することができる。
【００３２】
上記ガスケット７の上側分断部の下側部位が、上記目地側水切り板６（６Ａ）の上端部の屋外側に位置すると、上記ガスケット７を伝い落ちる水が上記目地側水切り板６の裏側（屋内側）に回り込むのを防止することができる。
【００３３】
上記腕木１１が設けられる階間部１において、上記ガスケット７における屋外側の一部が分離切除されていると、上記階間部１において胴差面材１５を適切に配置することができる。
【００３４】
上記目地側水切り板６（６Ａ）の下端部において、上記ガスケット７の下側分断部における上記一部が分離切除された残り部位の端部の屋外側に乗り上げる乗上部６ｃが形成されていると、上記目地側水切り板６（６Ａ）を伝い落ちる水を上記ガスケット７の残り部位の箇所の屋外側に落すことができる。
【００３５】
上記腕木１１が設けられる階間部１においては、上記階間水切り板５および上記目地側水切り板６の少なくとも下端側が防水シート３２と重なるようにしていると、上記階間水切り板５および上記目地側水切り板６の少なくとも下端側での止水が防水シート３２により確保されることになる。
【００３６】
上記腕木１１が設けられない階間部においては、上記のように、上階の壁部２Ａの下側と下階の壁部３Ａの上側が近接して位置し、胴差面材１５が配置されないようにしてもよい。また、上記腕木１１が設けられる階間部１に配置される胴差面材１５と上記外壁面材２０２との境界の目地部には、上記目地側水切り板６として、上記外壁面材２０２の側に止水面部６ｄが形成された境界用の目地側水切り板６Ａが設けられていていてもよい。そして、このような構造において、上記外壁面材２０２の下地部材２０２ａに上記ガスケット７に接触する接触部２０２ｂが形成されており、上記接触部２０２ｂが、上記ガスケット７の上下分断箇所で、上記止水面部６ｄに設けられた止水テープ８に接触すると、上記腕木１１が設けられる階間部１に配置される胴差面材１５と上記外壁面材２０２との境界の目地部１２においても、シーリング材を用いることなく、効率的な止水を実現することができる。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３８】
１        ：階間部
２        ：壁部
２Ａ      ：壁部
３        ：壁部
３Ａ      ：壁部
５        ：階間水切り板
６        ：目地側水切り板
６Ａ      ：境界用の目地側水切り板
６ａ      ：連結部
６ｂ      ：突出カバー
６ｃ      ：乗上部
６ｄ      ：止水面部
６１      ：上側構造部
６２      ：下側構造部
７        ：ガスケット
７１      ：１次ガスケット部
７２      ：２次ガスケット部
８        ：止水テープ（止水部材）
１１      ：腕木
１２      ：目地部
１５      ：胴差面材
２２      ：防水シート
２３      ：横目地
３２      ：防水シート
２０２    ：外壁面材
２０２ａ  ：下地部材
２０２ｂ  ：接触部
２０３    ：縦胴縁
２０４    ：板材
２０２１  ：コーナーフレーム
【図１】
0006665038.tif 000002
【図２】
0006665038.tif 000003
【図３】
0006665038.tif 000004
【図４】
0006665038.tif 000005
【図５】
0006665038.tif 000006
【図６】
0006665038.tif 000007
【図７】
0006665038.tif 000008
【図８】
0006665038.tif 000009
【図９】
0006665038.tif 000010